(57)【特許請求の範囲】
【請求項１】
通信機器であって、
他の通信機器と通信を行うための通信部と、
前記通信部を介して通信を行う他の通信機器ごとの発信元情報を含む識別情報を複数記憶する記憶部と、
接触物による接触を検出するタッチセンサと、
前記通信機器を振動させる振動部と、
前記タッチセンサにより検出される前記接触物による接触に基づき接触パターンを検出するとともに、
前記通信部を介して着信を検出すると、前記通信機器を振動させるように前記振動部を制御する制御部と、を備え、
前記制御部は、
前記記憶部に記憶されている前記他の通信機器ごとの識別情報に、前記制御部が検出可能な種々の接触パターンのうちいずれかの接触パターンを関連付け、
前記通信部を介して着信を検出し、当該着信中において前記通信機器を所定の振動モードで振動させるように前記振動部を制御している際に、前記検出された着信の発信元情報に対応する前記他の通信機器の識別情報に関連付けた接触パターンを検出すると、前記振動モードを停止または変更するように前記振動部を制御することを特徴とする通信機器。
【発明の詳細な説明】
【技術分野】
【０００１】
本発明は、タッチセンサを備える通信機器に関するものである。
【０００２】
多くの携帯電話やスマートフォン等の表示画面を有する通信機器は、電話着信時又はメール受信時には、着信音又は振動により電話着信及びメール受信をユーザに通知すると共に、例えば、発信元の氏名（名称）や、発信元情報（電話番号、メールアドレス）などを表示画面に表示する。すると、通信機器のユーザは、着信音や振動により電話着信又はメール受信に気づき、通信機器を手元に取り出して、目視により表示画面を確認することで、発信元等を認識する。
【０００３】
他方、大半の通信機器は、振動によって着信を通知する、いわゆるバイブレーションモードを有する。バイブレーションモードについて、ユーザは、複数の振動パターンを任意に設定することができる。ユーザは、振動パターンのそれぞれを、通信機器に予め登録されている一つの特定の電話番号と関連付けたり、又は電話番号のグループと関連付けたりすることも可能である。
【０００４】
このような通信機器として、例えば、振動パターンを記憶するメモリ部を備え、受信した発呼者電話番号と予め登録されている電話番号とを照合した結果により振動パターンを選択的に切替え、特定の振動パターンで振動させることにより、発呼者を識別するようにしたものが知られている（例えば、特許文献１参照）。この特許文献１に記載の携帯端末によれば、例えば、会議中など、画面を確認できない状態におかれている場合においても、ユーザは発呼者を特定することができる。
【先行技術文献】
【特許文献】
【０００５】
【特許文献１】特開平０９−３０７６３１号公報
【発明の概要】
【発明が解決しようとする課題】
【０００６】
しかしながら、通信機器のユーザが、各自の通信機器において設定されている全ての振動パターンと発呼者電話番号との関連を確実に把握しているとは限らず、また、多様な振動パターンを確実に区別できるとも限らない。このため、画面を確認することなく、振動パターンのみに基づいて、確実に発呼者を特定することは困難であることが懸念される。
【０００７】
したがって、かかる点に鑑みてなされた本発明の目的は、画面を確認できない状態におかれている場合においても、ユーザに発信元に関する情報を通知することができる通信機器を提供することである。
【課題を解決するための手段】
【０００８】
上記目的を達成する本発明に係る通信機器は、
他の通信機器と通信を行うための通信部と、
前記通信部を介して通信を行う他の通信機器ごとの発信元情報を含む識別情報を複数記憶する記憶部と、
接触物による接触を検出するタッチセンサと、
前記通信機器を振動させる振動部と、
前記タッチセンサにより検出される前記接触物による接触に基づき接触パターンを検出するとともに、
前記通信部を介して着信を検出すると、前記通信機器を振動させるように前記振動部を制御する制御部と、を備え、
前記制御部は、
前記記憶部に記憶されている前記他の通信機器ごとの識別情報に、前記制御部が検出可能な種々の接触パターンのうちいずれかの接触パターンを関連付け、
前記通信部を介して着信を検出し、当該着信中において前記通信機器を所定の振動モードで振動させるように前記振動部を制御している際に、前記検出された着信の発信元情報に対応する前記他の通信機器の識別情報に関連付けた接触パターンを検出すると、前記振動モードを停止または変更するように前記振動部を制御することを特徴とするものである。
【発明の効果】
【００１１】
本発明によれば、振動により、ユーザに発信元に関する情報を通知することができる通信機器を提供することができる。
【図面の簡単な説明】
【００１２】
【図１】本発明の一実施の形態に係る通信機器の概略構成を示すブロック図である。
【図２】図１に示した通信機器を構成する各機能部の実装構造の一例を示す図である。
【図３】図１に示した通信機器の第１の動作例を示すフローチャートである
【図４】図１に示した通信機器の操作時におけるタッチパネル上の状態の一例を説明するための図である。
【図５】図１に示した通信機器の第２の動作例を示すフローチャートである。
【図６】図１に示した通信機器の操作時におけるタッチパネル上の状態の一例を説明するための図である。
【発明を実施するための形態】
【００１３】
以下、本発明の実施の形態について、図面を参照して説明する。
【００１４】
図１は、本発明の一実施の形態に係る通信機器の要部構成を概略的に示す機能ブロック図である。図１に示すように、通信機器１０は、制御部１１と、タッチパネル１２と、通信部１３と、振動部１４と、記憶部１５と、を備えている。尚、本実施の形態においては、通信機器１０は、携帯電話であるものとして説明する。
【００１５】
制御部１１は、通信機器１０の各機能ブロックをはじめとして通信機器１０の全体を制御および管理する。また、タッチパネル１２は、入力部１６、表示部１７と、とを備えている。このタッチパネル１２は、ユーザの入力を受け付けるための入力部１６を、表示部１７の前面に重畳させて配設することにより構成する。
【００１６】
タッチパネル１２の表示部１７は、例えば液晶ディスプレイ（ＬＣＤ）または有機ＥＬディスプレイなどで構成する。この表示部１７は、各アプリケーションに対応する表示を行う他、入力部１６へのユーザの操作入力を受け付けるための各種キーやボタンなどで構成するユーザインタフェースを所定の表示領域に描画して表示する。以下、このように、タッチパネル１２の入力部１６に対するユーザの操作入力を受け付けるために、ユーザが目視により認識できるように表示部１７に表示する各種キーやボタンなどの画像を、「入力用オブジェクト」と記す。この表示部１７は、例えば、液晶表示パネルや有機ＥＬ表示パネル等を用いて構成する。
【００１７】
タッチパネル１２の入力部１６は、タッチセンサを構成し、タッチセンサは、ユーザの指やスタイラスペン等の接触物がタッチセンサに触れたこと（接触）を検出するセンサである。このタッチセンサは、例えば抵抗膜方式、静電容量方式、光学式等の公知の方式のもので構成する。タッチセンサは、接触物による接触を検出するだけでなく、その接触の位置を検出することができる。なお、タッチセンサが接触を検出する上で、接触物が物理的にタッチセンサに接触することは必須ではない。例えば、タッチセンサが光学式である場合は、タッチセンサはタッチセンサ上の赤外線が接触物で遮られた位置を検出するため、接触物がタッチセンサに接触することは不要である。
【００１８】
通信部１３は、他の通信機器と通信を行うためのものであり、制御部１１は、通信部１３を介して他の通信機器と信号の送受信を行い、電話の発着信、メールの送受信の処理を行う。
【００１９】
振動部１４は、通信装置１０を振動させるもので、例えば、振動モータ、振動素子を用いて構成する。なお、振動部１４として、例えば圧電素子等を用いてタッチセンサを振動させるようにして、通信装置を振動させるようにしてもよい。振動部１４は、複数の振動パターンで振動することで、タッチパネル１２に接触しているユーザの指などの接触物に対して様々な振動（触感）を呈示することができる。
【００２０】
記憶部１５は、通信部１３を介して通信を行う他の通信機器ごとに、識別情報として、発信元情報（電話番号、メールアドレス）、発信元の氏名（名称）、及びグループ情報等を記憶している。ここで、識別情報としてのグループ情報とは、通信部１３を介して通信を行う他の通信機器等がどのグループに属するかを示す情報である。ユーザは、任意にある属性を有するグループを作成し、当該グループに属する、他の通信機器を選択し、通信機器ごとにグループ情報を設定することができる。
【００２１】
例えば、ユーザは、グループ情報として、「会社」の属性を有するグループ１（グループ情報１）を作成し、当該グループ１に属する通信機器を選択し、選択した各通信機器についてそれぞれグループ１に属する旨を示すグループ情報を関連付ける。同様にして、ユーザは、通信機器１０について、「家族」の属性を有するグループ２（グループ情報２）及び「友人」の属性を有するグループ３（グループ情報３）を作成し、各グループ２及び３に属する各通信機器について、グループ情報を関連付ける。以下、少なくとも２つのグループが作成されているものとして説明する。しかしながら、グループ作成は任意であり、１つのグループだけが設定されていることもあれば、グループが４つ以上設定されている場合もある。
【００２２】
さらに、記憶部１５は、各種アプリケーションおよび入力された各種情報などを記憶するとともに、ワークメモリなどとしても機能する。特に、本実施の形態では、記憶部１５は、着信により発信元情報（電話番号又はメールアドレス）を受信した際に、発信元情報を一時的に保持する。尚、一つのグループに属する通信機器等は一つ又は複数である。
【００２３】
制御部１１は、内蔵記憶部（図示しない）を有し、電話着信又はメール受信（メールの着信）を検出すると、当該着信の発信元情報（電話番号又はメールアドレス）を内蔵記憶部に記憶する。また、制御部１１は、タッチセンサにより検出される接触物による接触に基づき接触パターンを検出する。接触パターンは、例えば、タッチセンサに対する接触物の接触点数である。また、制御部１１は、通信部１３を介して着信を検出すると、通信機器１０を振動させるように振動部１４を制御する。制御部１１は、電話（通話）の着信を検出すると、通信機器１０に対してユーザが電話（通話）の着信に応答するための操作が行われるまでは、通信機器１０を振動させ続けるように振動部１４を制御する。
【００２４】
また、制御部１１は、記憶部１５に記憶されている通信部１３を介して通信を行う他の通信機器ごとの（他の通信機器ごとに関連付けた）識別情報（グループ情報）に、制御部１１が検出可能な種々の接触パターンのうちいずれかの接触パターンを関連付ける。ここで、制御部１１が、タッチセンサに対する接触物による１点接触、２点接触、３点接触をそれぞれ分離して検出可能であるとすると、制御部１１は、接触パターンとして、１点接触、２点接触および３点接触が検出可能である。そして、識別情報としてのグループ情報１、グループ情報２及びグループ情報３に対して、例えば、制御部１１は、グループ情報１に接触パターンとして１点接触、グループ情報２に接触パターンとして２点接触、グループ情報３に接触パターンとして３点接触を関連付ける。
【００２５】
また、制御部１１は、通信部１３を介して着信を検出すると、振動部１４の振動モードが第１の振動モードとなるように制御する。ここで、振動モードは、振動部１４を種々の態様で振動させるモードだけではなく、振動部１４を全く振動させないモードも含む。そして、制御部１１は、通信機器１０を第１の振動モードで振動させるように振動部１４を制御している際に、検出された着信の発信元情報に対応する他の通信機器の識別情報に関連付けた接触パターンを検出すると、通信機器１０の振動モードを第１の振動モードとは異なる第２の振動モードに変更するように振動部１４を制御する。たとえば、制御部１１は、着信を検出して内蔵記憶部に記憶した発信元情報と、記憶部１５に記憶している発信元情報を照合し、着信の発信元（他の通信機器）を特定する。そして、特定された通信端末に関連付けたグループ情報を認識し、認識されたグループ情報に関連づけた接触パターンがタッチセンサにより検出されると、通信機器１０の振動モードを、第２の振動モードに変更する。制御部１１は、第２の振動モードでは、第１の振動モードとは異なるパターンで振動部１４を振動させても良いし、振動部１４の振動を停止させても良い。
【００２６】
また、制御部１１は、通信１６を介して着信を検出すると、この着信の情報を記憶部１５に記憶するように制御する。例えば、制御部１１は、電話（通話）の着信があったにも関わらずユーザが着信に応答しなかった場合、未応答着信があることを記憶部１５に記憶する。また、制御部１１は、メールを受信（着信）すると、未確認（新着）メールがあることを記憶部１５に記憶する。ここで、着信の情報とは、例えば、これら未応答着信や未確認メールがあることを示す情報である。また、制御部１１は、着信の情報を記憶部１５に記憶している状態で、着信の発信元情報に対応する他の通信端末の識別に関連付けた接触パターンを検出すると、通信機器１０を振動させるように振動部１４を制御する。これにより、通信機器１０は、ユーザに対して振動により、どのグループに属する通信機器からの着信かを確認する機会を提供することができる。制御部１１の動作例については、第１動作例を図３のフローチャートを参照して、第２動作例を図５のフローチャートを参照して後述する。
【００２７】
図２は、図１に示した通信機器１０のタッチパネル１２、荷重検出部１３、および圧電素子で構成した振動部１４の実装構造の一例を示す図である。なお、図２は、通信機器１０の要部断面図を示す。ここでは、ユーザの指が、タッチパネル１２に接触している様子を表している。タッチパネル１２の入力部１６（タッチセンサ）は、弾性部材からなるインシュレータ１８を介して表示部１７上に保持する。振動部１４は、入力部１６に振動（触感）を伝達できるように、例えば入力部１６に接触させて配置する。
【００２８】
（第１動作例）
図３は、図１及び図２に示した通信機器１０の第１の動作例を示すフローチャートである。第１の動作例は、通信機器１０において、発信元（通信を行う他の通信機器）が属するグループを、ユーザが振動により確認することができる機会を提供するための動作モードを示す。以下、本動作例においては、グループ情報２が関連付けられた他の通信機器（発信元）からの電話の着信があるものとして説明する。なお、本動作が開始するまでに、制御部１１は、グループ情報１に接触パターンとして１点接触、グループ情報２に接触パターンとして２点接触、グループ情報３に接触パターンとして３点接触を関連付けているものとする。
【００２９】
先ず、制御部１１は、電話の着信を検出すると、電話番号（発信元情報）を受信し、内蔵記憶部に受信した電話番号を記憶する。そして、制御部１１は、ユーザに、着信があったことを通知するため、通信機器１０を振動させるように振動部１４の制御する（ステップＳ０１）。以下、本動作において、振動部１４による振動を停止するまで、振動は継続しているものとする。
【００３０】
制御部１１は、タッチセンサにより検出される接触物による接触に基づき接触パターンを検出する（ステップＳ０２）。ここでは、制御部１１は、タッチセンサに対する接触物の接触点数を検出する。例えば、ユーザが２本の指をタッチパネル１２に接触させると、制御部１１は２点の接触点を検出する。
【００３１】
そして、制御部１１は、ステップＳ０２において検出した接触点数の対応するグループを特定することにより、ユーザが指定しているグループを認識する（ステップＳ０３）。例えば、上述の通り、制御部１１は、ステップＳ０２において接触点を２点検出した場合には、ステップＳ０３において、「家族」の属性を有するグループ２（グループ情報２）を特定する。
【００３２】
さらに、制御部１１はステップＳ０３において認識したグループを指定する（ステップＳ０４）。そして、当該指定したグループと、着信時に受信した電話番号の対応する他の通信端末に関連付けたグループ情報とを照合し、指定したグループからの着信であるか否かを判断する（ステップＳ０５）。照合により、指定したグループであるグループ２に属する通信機器からの着信であると判断した場合には、制御部１１は、振動部１４の駆動を停止し、振動モードを変更する（ステップＳ０５のＹｅｓ、ステップＳ０６）。このように、通信機器１０は、振動モードを変更することにより、ユーザに対してグループ指定が正しいことを認識させる。図４（ｂ）は、タッチセンサに対してユーザが２本の指を接触させることにより、着信中に、通信機器１０の振動が停止したことを示している。なお、制御部１１は、ステップＳ０１において開始した振動を停止したのち、当該振動とは異なる振動パターンで振動するように振動部１４を制御することにより、また、ステップＳ０１において開始した振動を停止することなく、当該振動とは異なる振動パターンで振動するように振動部１４を制御することにより、振動モードを変更し、ユーザに対してグループ指定が正しいことを認識させてもよい。
【００３３】
これに対し、ユーザが、タッチパネル１２上において、１本の指をタッチパネル１２に接触させると、制御部１１は、ステップＳ０２において、１点の接触点のみを検出し、ステップＳ０３において「会社」の属性を有するグループ１を認識して指定する。そして、制御部１１は、ステップＳ０５において、指定したグループであるグループ１に属する発信元からの着信ではないと判断する。この場合、制御部１１は振動部１４の駆動を停止せずに、振動を継続させるように制御する（ステップＳ０５のＮｏ、ステップＳ０７）。図４（ａ）は、タッチセンサに対してユーザが１本の指を接触させたとしても、着信中に、通信機器１０の振動が停止せず、継続していることを示している。
【００３４】
その後、制御部１１は、（ユーザにより着信に対する応答がないまま、）着信が終了したか否かを判断する（ステップＳ０８）。制御部１１は、着信が終了したと判断した場合には振動を停止し、動作を終了する（ステップＳ０８のＹｅｓ）。一方、制御部１１は、ステップＳ０８において、ユーザにより着信に対する応答がない状態が継続していると判断した場合には、再度、ステップＳ０２に戻り、ステップＳ０３〜Ｓ０７の動作を行う。
【００３５】
好ましくは、制御部１１は、電話着信の場合、ステップＳ０２における入力検出において、タッチパネル１２に表示された入力用オブジェクトの一つである、「受話ボタン」上における入力を検出した場合には、通話を開始し、確認動作（本動作）を終了するように動作してもよい。
【００３６】
このように、第１動作例においては、ステップＳ０２〜Ｓ０４で、制御部１１が、ユーザが指定しているグループを認識し、ステップＳ０５において、発信元の属するグループが、ユーザが指定しているグループと一致するか否かを判断する。そして、ユーザが指定したグループが、発信元が属するグループと一致しない場合には、ステップＳ０７において振動を継続させ、着信が終了しない限り、ユーザに対してグループを確認する機会を提供する。
【００３７】
これにより、ユーザは複数回にわたって、発信元の属するグループを確認するために、グループを指定することが可能となる。このように、通信機器１０は、ユーザに対して確実にどのグループに属する通信機器からの着信であるかを認識する機会を提供することができる。
【００３８】
更に、第１動作例においては、ステップＳ０６において、振動を停止させるだけでなく、ユーザに対してグループ指定が正しいことを認識させるための振動による触感を呈示する。仮に、制御部１１が、発信元が属するグループと一致すると判断した場合に、振動を停止させるだけならば、ユーザは、指定したグループと着信中の通信機器が属するグループが一致することにより振動が停止したのか、或いは着信が終了したために振動が停止したのかを特定することができない。そこで、第１動作例のように、制御部１１が、ステップＳ０６において、振動を停止させることに併せて、ユーザに対してグループ指定が正しいことを認識させるための振動による触感を呈示することで、ユーザに対して確実にグループを確認する機会を提供することができる。
【００３９】
尚、第１動作例は、グループ２の通信機器から通信機器１０に対して、電話着信があったものとして説明したが、電話着信に代えて、メール受信の場合にも本動作例に準ずる動作が行われうる。
【００４０】
（第２動作例）
図４は、図１及び図２に示した通信機器１０の第２の動作例を示すフローチャートである。第２の動作例は、通信機器１０は、未応答着信や未確認メール等（着信の情報）の有無を、ユーザが振動により確認することができる機会を提供するための動作モード（以下、「確認モード」という）を示す。なお、本動作が開始するまでに、制御部１１は、グループ情報１に接触パターンとして１点接触、グループ情報２に接触パターンとして２点接触、グループ情報３に接触パターンとして３点接触を関連付けているものとする。そして、本動作では、グループ情報２が関連付けられた他の通信機器（発信元）からの電話の着信があり、ユーザがこの着信に対して応答しなかっため、この着信（未応答着信）の情報が記憶部１５に記憶されているものとする。
【００４１】
また、ユーザは、確認モードを開始及び終了するための所定の接触パターンを認識しているものとする。所定の接触パターンには、例えば、長押し（所定時間以上にわたる接触）や、ダブルクリック（所定の時間以内の２回以上の接触）などがある。以下、確認モードを開始及び終了させるため所定の接触パターンは、ダブルクリックであるものとして説明する。尚、確認モードの開始のための接触パターンと、終了のための接触パターンとは異ならせることもできる。
【００４２】
先ず、制御部１１は、タッチセンサにより検出される接触物による接触に基づき接触パターンを検出する（ステップＳ１１）。ここでは、制御部１１は、確認動作開始のための所定の入力（接触）（以下、「確認開始入力」という）の有無を判断する（ステップＳ１２）。ここでは、制御部１１は、確認開始入力としてダブルクリックを検出する。
【００４３】
制御部１１は、ステップＳ１２において確認開始入力があったと判断すると、確認モードによる動作を開始する（ステップＳ１２、Ｓ１３）。尚、確認開始入力以外の入力の場合には、所定の動作（スリープモードからの復帰、番号入力等）を行う。そして、制御部１１は、タッチセンサにより検出される接触物による接触に基づき接触パターンを検出するとともに、ユーザが指定しているグループを認識する（ステップＳ１４）。ここでは、制御部１１は、例えば、タッチセンサに対する接触物の接触点数を検出し、検出した接触点数が対応するグループを特定することにより、ユーザが指定しているグループを認識する。例えば、ユーザが２本の指をタッチパネル１２に接触させしている場合には、制御部１１は、ステップＳ１４において接触点を２点検出する。そして、制御部１１はステップＳ１４において、「家族」の属性を有するグループ２を特定し、ユーザがグループ２をしていることを認識する。
【００４４】
そして、制御部１１は、ステップ１４で認識したグループを指定する（ステップＳ１５）。次に、当該指定したグループと、着信時に制御部１１の内蔵記憶部に記憶された発信元情報の対応する他の通信機器（発信元）に関連付けたグループ情報とを照合し、指定したグループからの着信であるか否かを判断する（ステップＳ１６）。照合により、指定したグループであるグループ２に属する通信機器からの着信であると判断した場合には、制御部１１は、通信機器１０を振動させるように振動部１４を制御する（ステップＳ１６のＹｅｓ）。図５（ｂ）は、着信ありの状態（未応答着信の情報が記憶部１５に記憶されている状態）で、タッチセンサに対してユーザが２本の指を接触させることにより、制御部１１が、通信機器１０を振動させるように振動部１４を制御していることを示している。
【００４５】
一方、制御部１１は、ステップＳ１６において、未応答着信の電話番号（発信元情報）に対応する他の通信端末に関連付けたグループ情報と、ステップＳ１５にて指定したグループとを照合し、指定したグループに属する通信機器からではないと判断した場合には、通信機器１０を振動させるように振動部１４を制御しない（ステップＳ１８）。例えば、ユーザが１本の指をタッチパネル１２に接触させている場合には、ステップＳ１４において、制御部１１は接触点を１点検出し、ユーザがグループ１を指定していると認識する。そして、制御部１１はステップＳ１５においてグループ１を指定する。この結果、ステップＳ１６において、未応答着信の電話番号（発信元情報）に対応する他の通信端末に関連付けたグループ情報（グループ情報２）と、ステップＳ１５にて指定したグループ（グループ情報１）とを照合し、指定したグループからの着信等ではないと判断する。このような場合には、制御部１１はステップＳ１８に移行し、通信機器１０を振動させるように振動部１４の制御を行わない。なお、このとき、ステップＳ１７において呈示する触感（振動）とは別の触感（振動）を呈示して、ユーザに対して、指定したグループからの着信等が無い旨を認識する機会を提供することもできる。図５（ａ）は、着信ありの状態（未応答着信の情報が記憶部１５に記憶されている状態）で、タッチセンサに対してユーザが１本の指を接触させたとしても、制御部１１が、通信機器１０を振動させるように振動部１４を制御しないことを示している。
【００４６】
そして、制御部１１は、ステップＳ１５で指定したグループ以外のグループが設定されている場合には、ステップＳ２０に移行する（ステップＳ１９）。そして、制御部１１は、他のグループの未応答着信及び未読メール等の有無を判断する（ステップＳ２０）。制御部１１は、他のグループの未応答着信及び未読メール等が有ると判断した場合には、タッチセンサにより検出される接触物による接触に基づき接触パターンを検出する（ステップＳ２１）。
【００４７】
その後、制御部１１は、確認動作終了のための所定の入力（以下、「確認終了入力」という）の有無を判断する（ステップＳ２２）。そして、制御部１１は、ステップＳ２２において確認終了入力（例えば、ダブルクリック）が無いと判断した場合には、タッチセンサからの出力に基づいてユーザが指定しているグループを認識し、ステップＳ１５へと移行する（ステップＳ２３）。一方、制御部１１がステップＳ２２において確認終了入力有りと判断した場合には、確認モードを終了する。
【００４８】
一方、ステップＳ２０において、制御部１１が他のグループの未応答着信及び未読メール等が無いと判断した場合には、ユーザに対して確認モードを終了する旨を通知するための触感（振動）（以下、「終了触感」という）を呈示して、確認モードを終了する（ステップＳ２４）。この終了触感は、ステップＳ１７において呈示される触感（振動）とは異なる触感である。
【００４９】
このように、第２動作例においては、確認モードでき通信機器１０を動作させることで、例えば、会議中など、通信機器１０の画面表示を確認できない状態におかれている場合においても、未応答着信及び未確認メールの有無を含む、発信元のグループを確実に認識する機会を提供することができる。
【００５０】
なお、本発明は、上述した実施の形態にのみ限定されるものではなく、幾多の変更または変形が可能である。例えば、上記実施の形態においては、グループ単位で接触パターンを関連付けたが、グループに限らず、識別情報（発信元情報）に直接接触パターンを関連付けても良い。また、上記実施の形態に係る通信機器１０は、ユーザに対して、画面を目視することなく発信元が属するグループを確実に認識する機会を提供するだけではなく、発信元の通信機器等に対して何らかのメッセージを通知する機会を提供できるように構成することができる。
【００５１】
具体的には、以下の通りである。通信機器１０は、さらにタッチセンサに対する押圧荷重を検出する荷重検出部を備えるようにする。そして、荷重検出部が検出する押圧荷重に関連した所定の閾値が設定されている場合を想定する。この場合、まず、ユーザが着信中の通信機器の属するグループを認識して、重要と判断して、タッチパネル１２を押し込む。すると、制御部１１は、所定の閾値以上の押圧荷重を検出して、発信元の通信機器に対して所定のメッセージを送信する。所定のメッセージは、予め定められた定型メッセージでも良いし、ユーザにより任意に作成されたメッセージであっても良い。このような通信機器１０においては、例えば、荷重検出部が複数の閾値を有していてもよく、制御部１１が、いわゆる「２段押し」を検出した場合にメッセージの送信を行うように構成することもできる。
【００５２】
また、上記実施の形態においては、制御部１１は、タッチセンサにより検出される接触物による接触に基づき接触点数を検出し、検出した接触点数に基づいてユーザが指定しているグループを特定するものとした。この際、制御部１１は、前述した荷重検出部により検出した押圧荷重が所定の閾値以上であれば、接触点数をカウントするように構成することも可能である。
【００５３】
また、例えば、制御部１１は、接触パターンとして、接触点数ではなく、タッチセンサに対する接触物による接触の軌跡を検出するように構成することも可能である。この場合、制御部１１は、検出した接触の軌跡に基づいて、ユーザが指定しているグループを特定し、受信した識別情報に対応するグループ情報と照合する。例えば、ユーザが指やスタイラスペン等の接触物を用いてタッチセンサに対して「２」の軌跡を描いた場合、制御部１１は、その軌跡に基づいてユーザが指定しているグループがグループ２であることを特定する。
【００５４】
更にまた、例えば、制御部１１は、接触パターンとして、接触点数ではなく、接触時間を検出するように構成することも可能である。この場合、制御部１１は、検出した接触時間に応じて、ユーザが指定しているグループを特定し、受信した識別情報に対応するグループ情報と照合する。
【符号の説明】
【００５５】
１０  通信機器
１１  制御部
１２  タッチパネル
１３  通信部
１４  振動部
１５  記憶部
１６  入力部
１７  表示部
１８  インシュレータ
【図１】
0005784288.tif 000002
【図２】
0005784288.tif 000003
【図３】
0005784288.tif 000004
【図４】
0005784288.tif 000005
【図５】
0005784288.tif 000006
【図６】
0005784288.tif 000007